(57)【要約】【課題】従来の避雷器動作カウンタでは、避雷器の放電電流が小さい場合（切替開閉器の開閉サージにより避雷器に放電電流が流れる場合）にもカウント動作をしてしまうという問題があった。【解決手段】不要動作防止装置１おいては、避雷器１２に接続される端子Ｎａと接地側の端子Ｎｂとの間に、バリスタＲｚと抵抗器Ｒの並列回路を挿入する。また、端子Ｎａと端子Ｎｃとの間に放電管Ｇを挿入し、この放電管Ｇを端子Ｎｃを介して既設カウンタ１３に接続する。この構成において、放電電流Ｉａが所定の値以上になると、抵抗器Ｒの両端の電圧ＶＲが放電管Ｇの放電開始電圧ＶＧを超え、放電管Ｇは放電し、放電電流Ｉａは放電管Ｇを通して既設カウンタ１３に流れる。すなわち、放電電流Ｉａが所定の値を超えた場合にのみ、既設カウンタ１３に電流を流しカウント動作を行わせる。【選択図】図１
2010165595.tif 000002
【特許請求の範囲】
【請求項１】
避雷器と該避雷器の放電電流を大地に放流する接地回路との間に挿入され、かつ前記放電電流を駆動電源として該放電電流が流れた回数を計数する第１の電磁式のカウンタに付設して使用される避雷器動作カウンタの不要動作防止装置であって、
前記避雷器と前記接地回路との間に挿入される抵抗器と、
前記避雷器と前記第１の電磁式のカウンタとの間に挿入される放電管と、
を備えることを特徴とする不要動作防止装置。
【請求項２】
前記避雷器と前記接地回路との間に挿入される、第１の抵抗器と第２の抵抗器とからなる抵抗器の直列回路と、
前記避雷器と前記第１の電磁式のカウンタとの間に挿入される、第１の放電管と第２の放電管とからなる放電管の直列回路と、
前記第１の抵抗器と第２の抵抗器の接続点と、前記第１の放電管と第２の放電管の接続点と、の間に接続され、前記第１の放電管と前記第２の抵抗を通して接地回路に流れる放電電流を駆動電源として、該放電電流が流れた回数を計数する第２の電磁式のカウンタと、
を備え、
前記第１の抵抗器の抵抗値を第２の抵抗器の抵抗値よりも大きくする設定と、前記第２の放電管の放電開始電圧を前記第１の放電管の放電開始電圧よりも大きくする設定の、いずれかの設定または両方の設定を行うように構成されたこと、
を特徴とする請求項１に記載の不要動作防止装置。
【請求項３】
前記第２の抵抗器と前記接地回路との間に、さらに第３の電磁式のカウンタを設け、該第３の電磁式のカウンタにおいて、前記第２の抵抗器を通して接地回路に流れる放電電流を駆動電源として該放電電流の流れた回数を計数するように構成されたこと、
を特徴とする請求項２に記載の不要動作防止装置。
【請求項４】
前記避雷器と前記接地回路との間に挿入される、ｎ個（ｎ≧３）の抵抗器からなる抵抗器の直列回路と、
前記避雷器と前記第１の電磁式のカウンタとの間に挿入される、ｎ個（ｎ≧３）の放電管からなる放電管の直列回路と、
前記抵抗器の直列回路のＮ−１（Ｎ＝２，３，・・・，ｎ）番目の抵抗器とＮ番目の抵抗の接続点と、前記放電管の直列回路のＮ−１（Ｎ＝２，３，・・・，ｎ）番目の放電管とＮ番目の放電管の接続点と、の間にそれぞれに接続され、前記Ｎ−１番目の放電管を通して Ｎ番目の抵抗器に流れる放電電流の回数を、それぞれが計数するＮ−１個の電磁式のカウンタと、
を備え、
前記ｎ個の抵抗器の抵抗値Ｒ１，Ｒ２，・・・，Ｒｎの値を、Ｒ１＞Ｒ２＞Ｒ３，・・・，＞Ｒｎにする設定と、ｎ個の放電管の放電開始電圧ＶＧ１，ＶＧ２，・・・，ＶＧｎを、ＶＧ１＜ＶＧ２＜・・・＜ＶＧｎにする設定の、いずれかの設定または両方の設定を行うように構成されたこと、
を特徴とする請求項１に記載の不要動作防止装置。
【請求項５】
避雷器と該避雷器の放電電流を大地に放流する接地回路との間に挿入され、かつ前記放電電流を駆動電源として該放電電流が流れた回数を計数する第１の電磁式のカウンタを有する避雷器動作カウンタであって、
前記避雷器と前記接地回路との間に挿入される抵抗器と、
前記避雷器と前記第１の電磁式のカウンタとの間に挿入される放電管と、
を備えることを特徴とする避雷器動作カウンタ。
【請求項６】
前記避雷器と前記接地回路との間に挿入される、第１の抵抗器と第２の抵抗器とからなる抵抗器の直列回路と、
前記避雷器と前記第１の電磁式のカウンタとの間に挿入される、第１の放電管と第２の放電管とからなる放電管の直列回路と、
前記第１の抵抗器と第２の抵抗器の接続点と、前記第１の放電管と第２の放電管の接続点と、の間に接続され、前記第１の放電管と前記第２の抵抗を通して接地回路に流れる放電電流を駆動電源として、該放電電流の流れた回数を計数する第２の電磁式のカウンタと、
を備え、
前記第１の抵抗器の抵抗値を第２の抵抗器の抵抗値よりも大きくする設定と、前記第２の放電管の放電開始電圧を第１の放電管の放電開始電圧よりも大きくする設定の、いずれかの設定または両方の設定を行うように構成されたこと、
を特徴とする請求項５に記載の避雷器動作カウンタ。
【請求項７】
前記第２の抵抗器と前記接地回路との間に、さらに第３の電磁式のカウンタを設け、該第３の電磁式のカウンタにおいて、前記第２の抵抗器を通して接地回路に流れる放電電流を駆動電源として、該放電電流の流れた回数を計数するように構成されたこと、
を特徴とする請求項６に記載の避雷器動作カウンタ。
【請求項８】
前記避雷器と前記接地回路との間に挿入される、ｎ個（ｎ≧３）の抵抗器からなる抵抗器の直列回路と、
前記避雷器と前記第１の電磁式のカウンタとの間に挿入される、ｎ個（ｎ≧３）の放電管からなる放電管の直列回路と、
前記抵抗器の直列回路のＮ−１（Ｎ＝２，３，・・・，ｎ）番目の抵抗器とＮ番目の抵抗の接続点と、前記放電管の直列回路のＮ−１（Ｎ＝２，３，・・・，ｎ）番目の放電管とＮ番目の放電管の接続点と、の間にそれぞれ接続され、前記Ｎ−１番目の放電管を通してＮ番目の抵抗器に流れる放電電流の回数を、それぞれが計数するＮ−１個の電磁式のカウンタと、
を備え、
前記ｎ個の抵抗器の抵抗値Ｒ１，Ｒ２，・・・，Ｒｎの値を、Ｒ１＞Ｒ２＞Ｒ３，・・・，＞Ｒｎにする設定と、ｎ個の放電管の放電開始電圧ＶＧ１，ＶＧ２，・・・，ＶＧｎを、ＶＧ１＜ＶＧ２＜・・・＜ＶＧｎにする設定の、いずれかの設定または両方の設定を行うように構成されたこと、
を特徴とする請求項５に記載の避雷器動作カウンタ。
【発明の詳細な説明】
【技術分野】
【０００１】
本発明は、避雷器動作カウンタにおいて不要なカウント動作を防止する、不要動作防止装置、および避雷器動作カウンタに関するものである。
【背景技術】
【０００２】
新幹線用変電所には、外線側から進入してくる雷サージに対する変電機器の保護として、受電点およびき電線引き出し口に避雷器が設置されている。またき電用変圧器の一次側端子および二次側端子の直近に避雷器が設置されている。この避雷器は、電線路における使用電圧が３０ＫＶの場合には、例えば、９０ＫＶで放電するように構成されている。また、これらの避雷器の接地側電線には、避雷器の動作回数を測定するカウンタが挿入され、雷サージによる放電の履歴が分かるようになっており、放電特性の変化の兆候を捉えるようにしている。また雷撃時の障害の原因究明の参考データとして用いることができる。しかし、き電用避雷器のカウンタの中には異常に動作回数が多いものがあり、それらの箇所の避雷器では放電特性低下等の劣化が懸念される。
【０００３】
ただし、避雷器動作カウンタのカウント動作のタイミングの多くは切替開閉器の投入時であることから、そのときの開閉サージで動作していると考えられ、雷サージによる実際の避雷器の動作回数が分からない状況となっている。この状況はカウンタが設備されていながら避雷器の劣化の兆候を見逃し、地絡故障を招くという可能性を内在しているといえる。
【０００４】
ここで、従来品の避雷器動作カウンタ（既設カウンタ）の回路を図１２に示す。既設カウンタ１３は避雷器１２と接地回路ＧＮＤとの間に挿入され、非直線抵抗である酸化亜鉛素子（ＺｎＯ素子、バリスタ）Ｒｚ、コンデンサＣ、および電磁式のカウンタ（計数器）Ｔが並列接続されている。避雷器１２が放電すると避雷器放電電流ＩａはコンデンサＣに流れ、コンデンサＣに電荷が充電される。コンデンサＣに電荷が充電されコンデンサＣの端子間電圧が、例えば２７０Ｖに達すると放電電流ＩａはバリスタＲｚに流れ、コンデンサＣの電圧は２７０Ｖ程度に保たれる。避雷器１２の放電が終了するとコンデンサＣに充電された電荷は、抵抗器Ｒを介してカウンタＴの駆動コイルに電流として流れカウンタＴを動作させる。この既設カウンタＴは電流が流れる度にカウント動作を行い、電流が流れた回数を機械式の表示機構により積算表示する。
【０００５】
このように、従来品は放電電流による電圧降下によりコンデンサＣに充電された電荷が放電するエネルギーを利用してカウンタ動作させる電磁方式である。そのため、放電電流Ｉａの波高値が低くても放電時問が長いとカウントされてしまうことがあった。例えば、４０Ａ〜５０Ａ程度の電流が流れると、カウンタが動作してしまうことがあった。このため、切替開閉器の開閉サージにより不要なカウント動作を行うことがあり、この問題の解決が望まれていた。
【０００６】
なお、上記問題に対処するために、放電電流レベルを峻別できる避雷器動作カウンタが開発されている（非特許文献１を参照）。これは、既設カウンタ１３が放電電流の波高値が低くてもカウントされてしまう問題を解決するために、高速応答の検出用ＣＴ（変流器）を使用し、サージ電流の波高値を測定し、電流レベルを判定してカウントを行うように構成されている。しかしながら、この避雷器動作カウンタでは、検出用ＣＴ出力の増幅回路および電流値判定回路等の電子回路と、外部電源とを要し、構成が複雑になると共に、電子回路を使用するために信頼性が低下するなどの懸念があった。
【先行技術文献】
【非特許文献】
【０００７】
【非特許文献１】堀江，高木他，“放電電流レベルを峻別できる避雷器動作カウンタの開発”，交通・電気鉄道研究会，ＴEＲ-08-３４，平成２0年9月11日
【発明の概要】
【発明が解決しようとする課題】
【０００８】
前述したよう、従来の避雷器動作カウンタでは、避雷器からの放電電流によりコンデンサＣに充電された電荷が放電するエネルギーを利用してカウンタを動作させる電磁方式である。そのため、放電電流の波高値低くても放電時問が長いとカウントされてしまう問題があった。例えば、切替開閉器の開閉サージにより、避雷器動作カウンタが不要なカウント動作を行うことがあった。
また、上記問題に対処するために、放電電流レベルを峻別できる避雷器動作カウンタが開発されているが、これには、高速応答の検出用ＣＴ（変流器）を必要とし、また、検出用ＣＴ出力の増幅回路および電流値判定回路等の電子回路と、外部電源とを要し、構成が複雑になると共に、信頼性が低下するという懸念があった。
【０００９】
本発明は、斯かる実情に鑑みなされたものであり、本発明の第１の目的は、既設の避雷器動作カウンタに付設することにより、電子回路および外部電源を使用することなく簡易かつ信頼性が高い方法により、既設の避雷器動作カウンタにおける不要なカウント動作を抑止できる不要動作防止装置を提供すると共に、さらには、避雷器の放電電流の電流レベルを検出（区別）してカウント動作を行うことができる不要動作防止装置を提供することにある。
【００１０】
また、本発明の第２の目的は、電子回路および外部電源を使用することなく簡易かつ信頼性が高い方法により、避雷器の放電電流の不要なカウント動作を抑止できる避雷器動作カウンタを提供すると共に、さらには、避雷器の放電電流の電流レベルを検出（区別）してカウント動作を行うことができる避雷器動作カウンタを提供することにある。
【課題を解決するための手段】
【００１１】
本発明は、上記課題を解決するためになされたものであり、本発明の避雷器動作カウンタの不要動作防止装置は、避雷器と該避雷器の放電電流を大地に放流する接地回路との間に挿入され、かつ前記放電電流を駆動電源として該放電電流が流れた回数を計数する第１の電磁式のカウンタに付設して使用される避雷器動作カウンタの不要動作防止装置であって、前記避雷器と前記接地回路との間に挿入される抵抗器と、前記避雷器と前記第１の電磁式のカウンタとの間に挿入される放電管と、を備えることを特徴とする。
【００１２】
また、本発明の避雷器動作カウンタの不要動作防止装置は、前記避雷器と前記接地回路との間に挿入される、第１の抵抗器と第２の抵抗器とからなる抵抗器の直列回路と、前記避雷器と前記第１の電磁式のカウンタとの間に挿入される、第１の放電管と第２の放電管とからなる放電管の直列回路と、前記第１の抵抗器と第２の抵抗器の接続点と、前記第１の放電管と第２の放電管の接続点と、の間に接続され、前記第１の放電管と前記第２の抵抗を通して接地回路に流れる放電電流を駆動電源として、該放電電流が流れた回数を計数する第２の電磁式のカウンタと、を備え、前記第１の抵抗器の抵抗値を第２の抵抗器の抵抗値よりも大きくする設定と、前記第２の放電管の放電開始電圧を前記第１の放電管の放電開始電圧よりも大きくする設定の、いずれかの設定または両方の設定を行うように構成されたこと、を特徴とする。
【００１３】
また、本発明の避雷器動作カウンタの不要動作防止装置は、前記第２の抵抗器と前記接地回路との間に、さらに第３の電磁式のカウンタを設け、該第３の電磁式のカウンタにおいて、前記第２の抵抗器を通して接地回路に流れる放電電流を駆動電源として該放電電流の流れた回数を計数するように構成されたことを特徴とする。
【００１４】
また、本発明の避雷器動作カウンタの不要動作防止装置は、前記避雷器と前記接地回路との間に挿入される、ｎ個（ｎ≧３）の抵抗器からなる抵抗器の直列回路と、前記避雷器と前記第１の電磁式のカウンタとの間に挿入される、ｎ個（ｎ≧３）の放電管からなる放電管の直列回路と、前記抵抗器の直列回路のＮ−１（Ｎ＝２，３，・・・，ｎ）番目の抵抗器とＮ番目の抵抗の接続点と、前記放電管の直列回路のＮ−１（Ｎ＝２，３，・・・，ｎ）番目の放電管とＮ番目の放電管の接続点と、の間にそれぞれに接続され、前記Ｎ−１番目の放電管を通して Ｎ番目の抵抗器に流れる放電電流の回数を、それぞれが計数するＮ−１個の電磁式のカウンタと、を備え、前記ｎ個の抵抗器の抵抗値Ｒ１，Ｒ２，・・・，Ｒｎの値を、Ｒ１＞Ｒ２＞Ｒ３，・・・，＞Ｒｎにする設定と、ｎ個の放電管の放電開始電圧ＶＧ１，ＶＧ２，・・・，ＶＧｎを、ＶＧ１＜ＶＧ２＜・・・＜ＶＧｎにする設定の、いずれかの設定または両方の設定を行うように構成されたこと、を特徴とする。
【００１５】
また、本発明の避雷器動作カウンタは、避雷器と該避雷器の放電電流を大地に放流する接地回路との間に挿入され、かつ前記放電電流を駆動電源として該放電電流が流れた回数を計数する第１の電磁式のカウンタを有する避雷器動作カウンタであって、前記避雷器と前記接地回路との間に挿入される抵抗器と、前記避雷器と前記第１の電磁式のカウンタとの間に挿入される放電管と、を備えることを特徴とする。
【００１６】
また、本発明の避雷器動作カウンタは、前記避雷器と前記接地回路との間に挿入される、第１の抵抗器と第２の抵抗器とからなる抵抗器の直列回路と、前記避雷器と前記第１の電磁式のカウンタとの間に挿入される、第１の放電管と第２の放電管とからなる放電管の直列回路と、前記第１の抵抗器と第２の抵抗器の接続点と、前記第１の放電管と第２の放電管の接続点と、の間に接続され、前記第１の放電管と前記第２の抵抗を通して接地回路に流れる放電電流を駆動電源として、該放電電流の流れた回数を計数する第２の電磁式のカウンタと、を備え、前記第１の抵抗器の抵抗値を第２の抵抗器の抵抗値よりも大きくする設定と、前記第２の放電管の放電開始電圧を第１の放電管の放電開始電圧よりも大きくする設定の、いずれかの設定または両方の設定を行うように構成されたこと、を特徴とする。
【００１７】
また、本発明の避雷器動作カウンタは、前記第２の抵抗器と前記接地回路との間に、さらに第３の電磁式のカウンタを設け、該第３の電磁式のカウンタにおいて、前記第２の抵抗器を通して接地回路に流れる放電電流を駆動電源として、該放電電流の流れた回数を計数するように構成されたことを特徴とする。
【００１８】
また、本発明の避雷器動作カウンタは、前記避雷器と前記接地回路との間に挿入される、ｎ個（ｎ≧３）の抵抗器からなる抵抗器の直列回路と、前記避雷器と前記第１の電磁式のカウンタとの間に挿入される、ｎ個（ｎ≧３）の放電管からなる放電管の直列回路と、前記抵抗器の直列回路のＮ−１（Ｎ＝２，３，・・・，ｎ）番目の抵抗器とＮ番目の抵抗の接続点と、前記放電管の直列回路のＮ−１（Ｎ＝２，３，・・・，ｎ）番目の放電管とＮ番目の放電管の接続点と、の間にそれぞれ接続され、前記Ｎ−１番目の放電管を通してＮ番目の抵抗器に流れる放電電流の回数を、それぞれが計数するＮ−１個の電磁式のカウンタと、を備え、前記ｎ個の抵抗器の抵抗値Ｒ１，Ｒ２，・・・，Ｒｎの値を、Ｒ１＞Ｒ２＞Ｒ３，・・・，＞Ｒｎにする設定と、ｎ個の放電管の放電開始電圧ＶＧ１，ＶＧ２，・・・，ＶＧｎを、ＶＧ１＜ＶＧ２＜・・・＜ＶＧｎにする設定の、いずれかの設定または両方の設定を行うように構成されたこと、を特徴とする。
【発明の効果】
【００１９】
本発明の避雷器動作カウンタの不要動作防止装置においては、既設の避雷器動作カウンタにおける不要なカウント動作を抑止することができると共に、電子回路や外部電源を使用することなく簡易かつ信頼性の高い方法により、避雷器の放電電流の電流レベルを検出（区別）してカウント動作を行うことができる。
【００２０】
また、本発明の避雷器動作カウンタにおいては、避雷器の放電電流の不要なカウント動作を抑止することができると共に、電子回路や外部電源を使用することなく簡易かつ信頼性の高い方法により、避雷器の放電電流の電流レベルを検出（区別）してカウント動作を行うことができる。
【図面の簡単な説明】
【００２１】
【図１】本発明の第１の実施の形態に係る避雷器動作カウンタの不要動作防止装置の構成を示す図である。
【図２】本発明の第２の実施の形態に係る避雷器動作カウンタの構成を示す図である。
【図３】本発明の第３の実施の形態に係る避雷器動作カウンタの不要動作防止装置の構成を示す図である。
【図４】図３に示す不要動作防止装置において放電電流ＩａがＩ１以下の場合の電流経路を示す図である。
【図５】図３に示す不要動作防止装置において放電電流ＩａがＩ１〜Ｉ２の場合の電流経路を示す図である。
【図６】図３に示す不要動作防止装置において放電電流ＩａがＩ２以上の場合の電流経路を示す図である。
【図７】本発明の第４の実施の形態に係る避雷器動作カウンタの構成を示す図である。
【図８】本発明の第５の実施の形態に係る避雷器動作カウンタの不要動作防止装置の構成を示す図である。
【図９】本発明の第６の実施の形態に係る避雷器動作カウンタの構成を示す図である。
【図１０】本発明の第７の実施の形態に係る避雷器動作カウンタの不要動作防止装置の構成を示す図である。
【図１１】本発明の第８の実施の形態に係る避雷器動作カウンタの構成を示す図である。
【図１２】従来の避雷器動作カウンタの構成を示す図である。
【発明を実施するための形態】
【００２２】
以下、本発明の実施の形態を添付図面を参照して説明する。
［第１の実施の形態］
図１は、本発明の第１の実施の形態に係る避雷器動作カウンタの不要動作防止装置の構成を示す図である。
図１に示す避雷器動作カウンタの不要動作防止装置（単に「不要動作防止装置」とも呼ぶ）は、図１２に示した既設カウンタ１３に付設して使用されるものであり、本発明の不要動作防止装置のうちの、最も基本となる構成のものである。
【００２３】
図１において、一方の端子が電線路１１に接続された避雷器１２は、他方の端子（放電側の端子）が不要動作防止装置１側の端子Ｎａに接続される。不要動作防止装置１内においては、避雷器１２に接続される端子Ｎａと、接地回路ＧＮＤに接続される端子Ｎｂとの間に、バリスタＲｚと抵抗器Ｒの並列回路が接続される。
【００２４】
また、端子Ｎａには放電管Ｇの一方の端子が接続され、放電管Ｇの他方の端子は端子Ｎｃを介して既設カウンタ１３の電流入力側の端子Ｉｎに接続される。既設カウンタ１３の接地側端子Ｅは接地回路ＧＮＤにより接地されている。なお、バリスタＲｚは、万が一、放電管Ｇが劣化し放電開始電圧が高くなった場合に抵抗器Ｒの絶縁破壊を防止する目的で接続する。このバリスタＲｚは省略することもできる。
【００２５】
上記構成において、雷撃や切替開閉器の開閉サージにより避雷器１２が放電すると放電電流Ｉａは先ず抵抗器Ｒに流れる。このときの抵抗器電流をＩｒとすると抵抗器Ｒの両端には電圧ＶＲ（Ｉｒ×Ｒ）が発生する。抵抗器Ｒの両端の電圧ＶＲが放電管Ｇの放電開始電圧ＶＧを超えると放電管Ｇは放電し、放電電流Ｉａは放電管電流Ｉｇとして既設カウンタ１３に流れ、既設カウンタ１３はカウント動作する。この既設カウンタ１３は電流が流れる度にカウント動作を行い、電流が流れた回数を機械式の表示機構により積算表示する。
【００２６】
例えば抵抗器Ｒの値を２．５Ω、放電管Ｇの放電開始電圧ＶＧを５００Ｖとすると、避雷器１２が放電しても放電電流Ｉａが２００Ａ以下であればＶＲは放電開始電圧ＶＧ（５００Ｖ）に達しないので、避雷器１２放電電流Ｉａはすべて抵抗器Ｒに流れ既設カウンタ１３は動作しない。
【００２７】
避雷器１２の放電電流Ｉａが２００Ａ以上になると抵抗器Ｒの両端の電圧ＶＲは放電管Ｇの放電開始電圧ＶＧ（５００Ｖ）以上になるので放電管Ｇは放電し、既設カウンタ１３はカウント動作する。したがって既設カウンタ１３は２００Ａ以下の電流では動作せず、２００Ａ以上の電流が避雷器１２に流れたときのみ動作するようになる。
【００２８】
これは、フィールドにおける実測データにより、電線路の切替開閉器の開閉サージにより避雷器に流れる電流は、最大１００A程度であり、放電電流Ｉａが２００A以上の場合（例えば、雷撃の場合は数千Ａから数万Ａになることがある）に既設カウンタ１３が動作するようにしておけば、雷によるサージを識別してカウントすることができる。
【００２９】
このように、本発明の第１の実施の形態に係る避雷器動作カウンタの不要動作防止装置１においては、既設カウンタ１３に付設することにより、電子回路および外部電源を使用することなく簡易かつ信頼性が高い方法により、既設カウンタ１３における不要なカウント動作を抑止し、雷撃による放電を識別してカウントすることができる。
【００３０】
なお、図１に示す不要動作防止装置１の例では、抵抗器Ｒを１個使用する構成例を示しているが、所望の抵抗値および容量を得るために、抵抗器Ｒを複数の抵抗器の直列回路、並列回路、または、直並列回路で構成することができる。また、放電管Ｇについても１個を使用する例を示しているが、所望の放電開始電圧を得るために複数の放電管の直列回路を使用することもできる。
【００３１】
なお、第１の実施の形態の不要動作防止装置１においては、前述の第１の電磁式のカウンタは、既設カウンタ１３（図１２を参照）が相当し、抵抗器は抵抗器Ｒが相当し、放電管は放電管Ｇが相当する。
【００３２】
そして、第１の実施の形態の不要動作防止装置１は、避雷器１２の放電電流Ｉａを電源として使用し、該放電電流Ｉａが流れた回数を計数する第１の電磁式のカウンタ（既設カウンタ１３）に付設して使用される装置であり、避雷器１２と接地回路ＧＮＤとの間に挿入される抵抗器（抵抗器Ｒ）と、避雷器１２と第１の電磁式のカウンタ（既設カウンタ１３）との間に挿入される放電管（放電管Ｇ）と、を有して構成される。
【００３３】
これにより、第１の実施の形態に係る不要動作防止装置においては、避雷器の放電電流の不要なカウント動作を抑止することができると共に、電子回路や外部電源を使用することなく簡易かつ信頼性の高い方法により、避雷器の放電電流の電流レベルを検出（区別）してカウント動作を行うことができる。
【００３４】
［第２の実施の形態］
図２は、本発明の第２の実施の形態に係る避雷器動作カウンタの構成を示す図である。この避雷器動作カウンタ１Ａは、図１に示す不要動作防止装置１と既設カウンタ１３とを一体化し、図２に示す避雷器動作カウンタ１Ａとして構成したものである。
【００３５】
すなわち、図２に示す避雷器動作カウンタ１Ａでは、既設カウンタ１３の代わりに、放電管Ｇと端子Ｎｃとの間に電磁式のカウンタ１４（内蔵カウンタ）を設け、放電管Ｇを通して流れる電流によりカウンタ１４にカウンタ動作を行わせるように構成されている。その他の構成と動作については、図１に示す不要動作防止装置１と同様であり、同一の構成部分には同一の符号を付し、重複する説明は省略する。
【００３６】
なお、カウンタ１４は、図１２に示す既設カウンタ１３と同様の電磁式のカウンタで構成され、避雷器の放電電流Ｉａを駆動電源として駆動される電磁式のカウンタであり、必要に応じて、図１２に示す既設カウンタ１３と同じように、コンデンサＣ、バリスタＲｚ、および抵抗器Ｒを付設して構成される。そして、このカウンタ１４は電流が流れる度にカウント動作を行い、電流が流れた回数を機械式の表示機構により積算表示する。
【００３７】
この第２の実施の形態の避雷器動作カウンタ１Ａにおいても、図１に示す第１の実施の形態と同様に、放電電流Ｉａの不要なカウントを抑止し、また、電子回路および外部電源を使用することなく簡易かつ信頼性が高い方法により、避雷器の放電電流Ｉａの電流レベルを検出（区別）して、カウント動作を行を行うことができる。
【００３８】
なお、第２の実施の形態の不要動作防止装置１においては、前述の第１の電磁式のカウンタはカウンタ１４が相当し、抵抗器は抵抗器Ｒが相当し、放電管は放電管Ｇが相当する。
【００３９】
そして、第２の実施の形態の避雷器動作カウンタ１Ａは、避雷器２と接地回路ＧＮＤとの間に挿入されると共に、避雷器１２の放電電流Ｉａを駆動電源として該放電電流Ｉａが流れた回数を計数する第１の電磁式のカウンタ（カウンタ１４）を有する避雷器動作カウンタであり、避雷器１２と接地回路ＧＮＤとの間に挿入される抵抗器（抵抗器Ｒ）と、避雷器１２と第１の電磁式のカウンタ（カウンタ１４）との間に挿入される放電管（放電管Ｇ）と、を有して構成される。
【００４０】
これにより、第２の実施の形態の避雷器動作カウンタ１Ａにおいては、避雷器の放電電流の不要なカウント動作を抑止することができると共に、電子回路や外部電源を使用することなく簡易かつ信頼性の高い方法により、避雷器の放電電流の電流レベルを検出（区別）してカウント動作を行うことができる。
【００４１】
［第３の実施の形態］
図３は、本発明の第３の実施の形態に係る不要動作防止装置の構成を示す図である。第１および第２の実施の形態においては、放電電流Ｉａが１つの検出レベル（識別レベル）を超えた場合にだけ、カウント動作を行う例について示した。本発明の第３の実施の形態では、放電電流Ｉａの検出レベル（識別レベル）を２つとした例、すなわち、小電流カウンタ付き不要動作防止装置の構成例について説明する。
【００４２】
これは、避雷器１２が劣化した場合は、開閉サージによる避雷器１２の放電電流が増加することが考えられる。この兆候を捕らえるために、不要動作防止装置２にカウンタ１５（内蔵カウンタ）を内蔵させ、ある一定範囲で動作するような回路構成としたのが図３に示す装置である。
【００４３】
なお、カウンタ１５は、図１２に示すような既設カウンタ１３と同様の構成のカウンタであり、避雷器１２からの放電電流を駆動電源として作動する電磁式のカウンタである。そして、このカウンタ１５は、必要に応じて、図１２に示すコンデンサＣ、バリスタＲｚ、および抵抗器Ｒを付設して構成される。そして、このカウンタ１５は電流が流れる度にカウント動作を行い、電流が流れた回数を機械式の表示機構により積算表示する。
【００４４】
図３に示す不要動作防止装置２においては、避雷器１２が接続される端子Ｎａと接地側の端子Ｎｂの間に、抵抗器Ｒ１と抵抗器Ｒ２の直列回路が挿入されている。また、端子Ｎａと、既設カウンタ１３への接続端子Ｎｃと間に、放電管Ｇ１と放電管Ｇ２の直列回路が挿入されている。そして、抵抗器Ｒ１と第２の抵抗器Ｒ２の接続点と、放電管Ｇ１と放電管Ｇ２の接続点との間に、カウンタ１５が接続されている。
【００４５】
なお、バリスタＲｚ１とＲｚ２は、万が一、放電管Ｇ１，Ｇ２が劣化し放電開始電圧が高くなった場合に抵抗器Ｒ１とＲ２の絶縁破壊を防止する目的で接続する。このバリスタＲｚ１とＲｚ２は省略することもできる。
【００４６】
そして、この不要動作防止装置２においては、放電管Ｇ１は、放電電流Ｉａの電流レベルがＩ１（Ｉ１＜Ｉ２）以上で放電を開始し、放電管Ｇ２は、放電電流Ｉａの電流レベルがＩ２（Ｉ１＜Ｉ２）以上で放電を開始するように構成される。すなわち、既設カウンタ１３により大電流（Ｉ２以上の放電電流）をカウントし、カウンタ１５により、小電流（Ｉ１〜Ｉ２の範囲の放電電流）を計数するように構成される。
【００４７】
このために、抵抗器Ｒ１の抵抗値と、抵抗器Ｒ２の抵抗値について、「Ｒ１＞Ｒ２」となるように設定するか、または、抵抗値が同じ場合は、放電管Ｇ１の放電開始電圧ＶＧ１と、放電管Ｇ２の放電開始電圧ＶＧ２について、「ＶＧ１＜ＶＧ２」となるように設定する。または、「Ｒ１＞Ｒ２」かつ「ＶＧ１＜ＶＧ２」となるように設定する。
【００４８】
そして、図３に示す不要動作防止装置２において、避雷器１２が放電すると、放電電流Ｉａは、先ず抵抗器Ｒ１の抵抗器電流Ｉｒ１および抵抗器Ｒ２の抵抗器電流Ｉｒ２として接地回路ＧＮＤに流れ、抵抗器Ｒ１には電圧ＶＲ１が発生し、抵抗器Ｒ２には電圧ＶＲ２が発生する。ここで、抵抗器電流Ｉｒ１（放電電流Ｉａ）の電流レベルが、Ｉ１〜Ｉ２の範囲の場合は、抵抗器Ｒ１の電圧ＶＲ１が放電管Ｇ１の放電開始電圧ＶＧ１以上になり、放電管Ｇ１は放電を開始する。このため、放電電流Ｉａは抵抗器電流Ｉｒ１から放電管Ｇ１の放電管電流Ｉｇ１に転流する。
【００４９】
一方、抵抗器Ｒ２の電圧ＶＲ２は放電管Ｇ２の放電開始電圧ＶＧ２以下であり、放電管Ｇ２は放電を開始しない。このため、放電電流Ｉａは、抵抗器Ｒ２の抵抗器電流Ｉｒ２として流れる。
【００５０】
このように、放電電流Ｉａの電流レベルが、Ｉ１〜Ｉ２の範囲「Ｉ１＜放電電流Ｉａ＜Ｉ２」の場合は、放電電流Ｉａは、放電管Ｇ１、カウンタ１５、および抵抗器Ｒ２を通して接地回路ＧＮＤに流れ、カウンタ１５がカウント動作を行う。
【００５１】
そして、放電電流Ｉａの電流レベルが、Ｉ２以上「Ｉ２＜放電電流Ｉａ」の場合は、抵抗器Ｒ１の電圧ＶＲ１が放電管Ｇ１の放電開始電圧ＶＧ１以上になり、放電管Ｇ１が放電を開始し、また、抵抗器Ｒ２の電圧ＶＲ２も放電管Ｇ２の放電開始電圧ＶＧ２以上になり、放電管Ｇ２も放電を開始する。このため、放電電流Ｉａは、放電管Ｇ１の放電管電流Ｉｇ１と、放電管Ｇ２の放電管電流Ｉｇ２の経路で、既設カウンタ１３に流れる。
【００５２】
このように、放電電流Ｉａが電流レベルがＩ２以上の場合は、放電電流Ｉａは、放電管Ｇ１、放電管Ｇ２、および既設カウンタ１３を通して接地回路ＧＮＤに流れ、既設カウンタ１３がカウント動作を行う。
【００５３】
したがって、放電電流Ｉａの電流レベルがＩ１以下のときは、カウンタ１５および既設カウンタ１３は動作せず、ＩａがＩ１からＩ２の範囲ではカウンタ１５が動作し、ＩａがＩ２以上の場合には既設カウンタ１３が動作する。
【００５４】
例えば抵抗器Ｒ１を３Ω、抵抗器Ｒ２を２．５Ω、放電管Ｇ１の放電開始電圧ＶＧ１を３００、放電管Ｇ２の放電開始電圧ＶＧ２を５００Ｖとすれば、Ｉ１は１００Ａとなり、Ｉ２は２００Ａとなり、カウンタ１５は１００〜２００Ａの範囲で動作し、既設カウンタ１３は２００Ａ以上で動作する。
【００５５】
上述した、放電電流Ｉａの電流範囲ごとの電流経路を、図４、図５、および図６に示す。
図４は、避雷器１２の放電電流Ｉａの電流レベルが、Ｉ１以下の場合の例である。この場合は、避雷器の放電電流Ｉａは、図４の太線部分で示す経路により、抵抗器Ｒ１および抵抗器Ｒ２を通して、抵抗器電流Ｉｒ１および抵抗器電流Ｉｒ２として、接地回路ＧＮＤに流れる。
【００５６】
すなわち、放電電流Ｉａの電流レベルがＩ１以下の場合は、抵抗器Ｒ１の両端の電圧ＶＲ１が放電管Ｇ１の放電開始電圧ＶＧ１を超えることなく、また、抵抗器Ｒ２の両端の電圧ＶＲ２も放電管Ｇ２の放電開始電圧ＶＧ２を超えることがない。このため、放電管Ｇ１，Ｇ２は放電を開始することなく、放電電流Ｉａは抵抗器Ｒ１および抵抗器Ｒ２にのみ流れ、放電管Ｇ１，Ｇ２、およびカウンタ１５，１３には流れない
【００５７】
従って、「放電電流Ｉａ＜Ｉ１」の場合は、カウンタ１５、および既設カウンタ１３におけるカウント動作は行われない。
【００５８】
図５は、避雷器１２の放電電流Ｉａの電流レベルが、Ｉ１〜Ｉ２の範囲「Ｉ１＜放電電流Ｉａ＜Ｉ２」の場合の例である。この場合は、避雷器の放電電流Ｉａは、最初は、抵抗器Ｒ１および抵抗器Ｒ２を通して、抵抗器電流Ｉｒ１および抵抗器電流Ｉｒ２として、接地回路ＧＮＤに流れるが、「放電電流Ｉａ＞Ｉ１」であるため、抵抗器Ｒ１の電圧ＶＲ１は放電開始電圧ＶＧ１より大きくなり、放電管Ｇ１は放電を開始する。放電管Ｇ１は放電を開始すると、抵抗器Ｒ１に流れていた電流Ｉｒ１（放電電流Ｉａ）は放電管Ｇ１側の放電管電流Ｉｇ１（放電電流Ｉａ）として転流する。
【００５９】
一方、「放電電流Ｉａ＜Ｉ２」であるため、抵抗器Ｒ２の電圧ＶＲ２は放電開始電圧ＶＧ２より小さいため、放電管Ｇ２は放電を開始しない。
【００６０】
従って、放電電流Ｉａは、図５の太線部分で示すように、放電管Ｇ１、カウンタ１５、抵抗器Ｒ２の経路により接地回路ＧＮＤに流れ、電磁式のカウンタ１５によりカウント動作が行われるが、既設カウンタ１３によるカウント動作は行われない。
【００６１】
これにより、「Ｉ１＜放電電流Ｉａ＜Ｉ２」の場合は、カウンタ１５においてのみカウント動作を行わせることができる。
【００６２】
図６は、避雷器１２の放電電流Ｉａの電流レベルが、Ｉ２以上「Ｉ２＜放電電流Ｉａ」の場合の例である。この場合は、避雷器の放電電流Ｉａは、最初は、放電電流Ｉａは、抵抗器Ｒ１および抵抗器Ｒ２を通して、抵抗器電流Ｉｒ１および抵抗器電流Ｉｒ２として流れるが、放電電流Ｉａの電流レベルが、Ｉ１以上「Ｉ１＜放電電流Ｉａ」であるため、抵抗器Ｒ１の電圧ＶＲ１は放電開始電圧ＶＧ１より大きくなり、放電管Ｇ１は放電を開始する。
【００６３】
同様に、放電電流Ｉａの電流レベルが、Ｉ２以上「Ｉ２＜放電電流Ｉａ」であるため、抵抗器Ｒ２の両端の電圧ＶＲ２が放電開始電圧ＶＧ２より大きくなり、放電管Ｇ２も放電を開始する。このため、放電電流Ｉａは、放電管Ｇ１の放電管電流Ｉｇ１と、放電管Ｇ２の放電管電流Ｉｇ２の経路で、既設カウンタ１３に流れる。
【００６４】
従って、放電電流Ｉａは、図６の太線部分で示すように、放電管Ｇ１、放電管Ｇ２、および既設カウンタ１３を通して接地回路ＧＮＤに流れ、既設カウンタ１３によるカウント動作のみが行われ、カウンタ１５によりカウント動作は行われない。
【００６５】
以上説明したように、第３の実施の形態の不要動作防止装置２においては、「放電電流Ｉａ＜Ｉ１」の場合は、放電電流Ｉａのカウント動作を行わず、「Ｉ１＜放電電流Ｉａ＜Ｉ２」の場合は、カウンタ１５により放電電流Ｉａのカウント動作を行い、「Ｉ２＜放電電流」の場合は、既設カウンタ１３により放電電流Ｉａのカウント動作を行う。すなわち、放電電流Ｉａの電流レベルに応じて、カウンタを選択してカウント動作を行わせることができる。
【００６６】
なお、前述したように、避雷器の放電電流を複数の電流レベルで識別する方式のカウンタは既に文献１で開示されているが、文献１で示すカウンタは電子回路や制御電源を必要とするのに対し、本実施の形態の不要動作防止装置２では電子回路や制御電源が不要であるため簡易かつ信頼性を高めて設置することができる。
【００６７】
また文献１に開示されたカウンタは電子回路で構成されており、雷サージの大電流放電に対する信頼性が懸念されるが、本実施の形態の不要動作防止装置２は、抵抗器Ｒ、放電管Ｇ１，Ｇ２、および電磁カウンタ（カウンタ１５および既設カウンタ１３）で構成されるため、大電流放電に対する信頼性が高いという特徴がある。
【００６８】
なお、第３の実施の形態の不要動作防止装置２においては、前述の第１の電磁式のカウンタは、既設カウンタ１３が相当し、前述の第１の抵抗器は抵抗器Ｒ１が相当し、第２の抵抗器は抵抗器Ｒ２が相当する。また、第１の放電管は放電管Ｇ１が相当し、第２の放電管は放電管Ｇ２が相当し、第２の電磁式のカウンタはカウンタ１５が相当する。
【００６９】
そして、第３の実施の形態の不要動作防止装置２においては、避雷器１２と接地回路ＧＮＤとの間に挿入される、第１の抵抗器（抵抗器Ｒ１）と第２の抵抗器と（抵抗器Ｒ２）からなる抵抗器の直列回路と、避雷器１２と第１の電磁式のカウンタ（既設カウンタ１３）との間に挿入される、第１の放電管（放電管Ｇ１）と第２の放電管（放電管Ｇ２）とからなる放電管の直列回路と、第１の抵抗器（抵抗器Ｒ１）と第２の抵抗器（抵抗器Ｒ２）の接続点と、第１の放電管（放電管Ｇ１）と第２の放電管（放電管Ｇ２）の接続点との間に接続され、第１の放電管（放電管Ｇ１）と第２の抵抗（抵抗器Ｒ２）を通して接地回路ＧＮＤに流れる放電電流Ｉａの回数を計数する第２の電磁式のカウンタ（カウンタ１５）と、を有して構成される。また、第１の抵抗器（抵抗器Ｒ１）の抵抗値を第２の抵抗器（抵抗器Ｒ２）の抵抗値よりも大きくする設定と、第２の放電管（放電管Ｇ２）の放電開始電圧（ＶＧ２）を第１の放電管（放電管Ｇ１）の放電開始電圧（ＶＧ１）よりも大きくする設定の、いずれかの設定または両方の設定を行うように構成される。
【００７０】
これにより、第３の実施の形態の避雷器動作カウンタの不要動作防止装置２においては、避雷器の放電電流の不要なカウント動作を抑止することができると共に、電子回路や外部電源を使用することなく簡易かつ信頼性の高い方法により、避雷器の放電電流の電流レベルを３つの範囲に分けて検出（区別）し、２つの電流レベルの範囲でカウント動作を行うことができる。
【００７１】
［第４の実施の形態］
図７は、本発明の第４の実施の形態に係る避雷器動作カウンタの構成を示す図である。
【００７２】
図７に示す避雷器動作カウンタ２Ａは、図３に示す不要動作防止装置２と既設カウンタ１３とを一体化し、図７に示す避雷器動作カウンタ２Ａとして構成したものである。
【００７３】
このように、図７に示す避雷器動作カウンタ２Ａは、放電管Ｇ２と端子Ｎｃとの間に電磁式のカウンタ１４を設け、放電管Ｇ２を通して流れる電流によりカウンタ１４にカウンタ動作を行わせる。その他の構成と動作については、図３に示す第３の実施の形態の不要動作防止装置３の構成と同様であり、同一の構成部分には同一の符号を付し、重複する説明は省略する。
【００７４】
この避雷器動作カウンタ２Ａにおいては、電子回路および外部電源を使用することなく簡易かつ信頼性が高い方法により、避雷器の放電電流の電流レベルを３つの範囲に分けて検出（区別）し、２つの電流レベルの範囲（大電流と小電流の範囲）でカウント動作を行うことができる。
【００７５】
なお、第４の実施の形態の避雷器動作カウンタ２Ａにおいては、前述の第１の電磁式のカウンタは、カウンタ１４が相当し、第１の抵抗器は抵抗器Ｒ１が相当し、第２の抵抗器は抵抗器Ｒ２が相当する。また、第１の放電管は放電管Ｇ１が相当し、第２の放電管は放電管Ｇ２が相当し、第２の電磁式のカウンタはカウンタ１５が相当する。
【００７６】
そして、避雷器１２と接地回路ＧＮＤとの間に挿入される、第１の抵抗器（抵抗器Ｒ１）と第２の抵抗器（抵抗器Ｒ２）とからなる抵抗器の直列回路と、避雷器１２と第１の電磁式のカウンタ（カウンタ１４）との間に挿入される、第１の放電管（放電管Ｇ１）と第２の放電管（放電管Ｇ２）とからなる放電管の直列回路と、第１の抵抗器（抵抗器Ｒ１）と第２の抵抗器（抵抗器Ｒ２）の接続点と、第１の放電管（放電管Ｇ１）と第２の放電管（放電管Ｇ２）の接続点と、の間に接続され、第１の放電管（放電管Ｇ１）と第２の抵抗（抵抗器Ｒ２）を通して接地回路ＧＮＤに流れる放電電流の回数を計数する第２の電磁式のカウンタ（カウンタ１５）と、を有して構成される。また、第１の抵抗器（抵抗器Ｒ１）の抵抗値を第２の抵抗器（抵抗器Ｒ２）の抵抗値よりも大きくする設定と、第１の放電管（放電管Ｇ１）の放電開始電圧（ＶＧ２）を第２の放電管（放電管Ｇ２）の放電開始電圧（ＶＧ１）よりも大きくする設定の、いずれかの設定または両方の設定を行うように構成される。
【００７７】
これにより、第４の実施の形態の避雷器動作カウンタ２Ａにおいては、避雷器の放電電流の不要なカウント動作を抑止することができると共に、電子回路や外部電源を使用することなく簡易かつ信頼性の高い方法により、避雷器の放電電流の電流レベルを３つの範囲に分けて検出（区別）し、２つの電流レベルの範囲でカウント動作を行うことができる。
【００７８】
［第５の実施の形態］
図８は、本発明の第５の実施の形態に係る不要動作防止装置の構成を示す図である。
図８に示す不要動作防止装置３は、図３に示す第３の実施の形態の不要動作防止装置２に、新たに電磁式のカウンタ１６（内蔵カウンタ）を追加した点であり、他の構成は図３に示す不要動作防止装置２と同様である。
【００７９】
すなわち、放電電流ＩａがＩ１以下の場合「放電電流Ｉａ＜Ｉ１」、および放電電流ＩａがＩ１〜Ｉ２の範囲の場合「Ｉ１＜放電電流Ｉａ＜Ｉ２」において、放電電流Ｉａのカウント動作を行う機能を追加したものである。他の構成は、図３に示す不要動作防止装置２と同様である。このため、同一の構成部分には同一の符号を付し、重複する説明は省略する。
【００８０】
このように、第５の実施の形態の不要動作防止装置３においては、「放電電流Ｉａ＜Ｉ１」および「Ｉ１＜放電電流Ｉａ＜Ｉ２」の場合は、カウンタ１６に放電電流Ｉａのカウント動作を行わせ、「Ｉ１＜放電電流Ｉａ＜Ｉ２」の場合は、カウンタ１５に放電電流Ｉａのカウント動作を行わせ、「Ｉ２＜放電電流」の場合は、既設カウンタ１３に放電電流Ｉａのカウント動作を行わせる。
【００８１】
すなわち、３つの電流レベルを識別して、カウンタ１６、カウンタ１５、既設カウンタ１３を選択してカウントすることができる。すなわち、避雷器１２から放電電流Ｉａが流れた回数をすべてカウントすることができると共に、電流レベルを識別して放電電流Ｉａが流れた回数をカウントすることができる。
【００８２】
このように、図８に示す不要動作防止装置３を、既設カウンタ１３に付設することにより、電子回路および外部電源を使用することなく簡易かつ信頼性が高い方法により、既設カウンタ１３における不要なカウント動作を抑止できる。また、放電電流Ｉａの電流レベルを検出（区別）して、放電電流Ｉａの流れた回数をカウントすることができる。
【００８３】
なお、第５の実施の形態の避雷器動作カウンタの不要動作防止装置３においては、前述の第１の電磁式のカウンタは既設カウンタ１３が相当し、前述の第２の電磁式のカウンタはカウンタ１５が相当し、前述の第３の電磁式のカウンタはカウンタ１６が相当する。
【００８４】
そして、第５の実施の形態の不要動作防止装置３においては、図３に示す第３の実施の形態の不要動作防止装置２に対して、第２の抵抗器（抵抗器Ｒ２）と接地回路ＧＮＤとの間に、さらに第３の電磁式のカウンタ（カウンタ１６）を設け、第２の抵抗器（抵抗器Ｒ２）を通して接地回路ＧＮＤに流れる放電電流の回数を計数するように構成されている。
【００８５】
これにより、避雷器１２から放電電流Ｉａが流れた回数をすべてカウントすることができると共に、電流レベルを検出（区別）して放電電流Ｉａが流れた回数をカウントすることができる。
【００８６】
［第６の実施の形態］
図９は、本発明の第６の実施の形態に係る避雷器動作カウンタの構成を示す図である。
【００８７】
図９に示す避雷器動作カウンタ３Ａは、図８に示す不要動作防止装置３と既設カウンタ１３とを一体化し、図９に示す避雷器動作カウンタ３Ａとして構成したものである。
【００８８】
このように、図９に示す避雷器動作カウンタ３Ａは、放電管Ｇ２と端子Ｎｃとの間に電磁式のカウンタ１４を設け、放電管Ｇ２を通して流れる電流によりカウンタ１４にカウンタ動作を行わせる。その他の構成と動作については、図８に示す第５の実施の形態の不要動作防止装置３の構成と同様であり、同一の構成部分には同一の符号を付し、重複する説明は省略する。
【００８９】
この避雷器動作カウンタ３Ａにおいては、電子回路および外部電源を使用することなく簡易かつ信頼性が高い方法により、３つの電流レベルを識別して、カウンタ１６、カウンタ１５、カウンタ１４を選択してカウントすることができる。すなわち、避雷器１２から放電電流Ｉａが流れた回数をすべてカウントすることができると共に、電流レベルを識別して放電電流Ｉａが流れた回数をカウントすることができる。
【００９０】
なお、第６の実施の形態の避雷器動作カウンタ３Ａにおいては、前述の第１の電磁式のカウンタはカウンタ１４が相当し、前述の第２の電磁式のカウンタはカウンタ１５が相当し、前述の第３の電磁式のカウンタはカウンタ１６が相当する。
【００９１】
そして、第６の実施の形態の避雷器動作カウンタ３Ａにおいては、図７に示す第４の実施の形態の不要動作防止装置２に対して、第２の抵抗器（抵抗器Ｒ２）と接地側との間に、さらに第３の電磁式のカウンタ（カウンタ１６）を設け、第２の抵抗器（抵抗器Ｒ２）を通して接地回路ＧＮＤに流れる放電電流の回数を計数するように構成されている。
【００９２】
これにより、避雷器１２から放電電流Ｉａが流れた回数をすべてカウントすることができると共に、電流レベルを検出（区別）して放電電流Ｉａが流れた回数をカウントすることができる。
【００９３】
［第７の実施の形態］
図３に示した第３の実施の形態の不要動作防止装置２においては、放電電流Ｉａの検出レベルを、Ｉ１とＩ２の２段階に分けて検出する例を示したが、本発明ではこれに限定されず、さらにｎ（ｎ≧３）段階に分けて検出することもできる。
【００９４】
図１０は、本発明の第７の実施の形態に係る不要動作防止装置の構成を示す図である。図１０に示す不要動作防止装置４においては、避雷器１２への接続端子Ｎａと、接地側の端子Ｎｂとの間に、抵抗器Ｒ１，Ｒ２，・・・，Ｒｎの直列回路が挿入される。
【００９５】
また、避雷器１２への接続端子Ｎａと既設カウンタ１３への接続端子Ｎｃとの間に、放電管Ｇ１，Ｇ２，・・・，Ｇｎの直列回路が挿入される。
【００９６】
また、放電管Ｇ１、Ｇ２の接続点と、抵抗器Ｒ１，Ｒ２の接続点との間にカウンタ１５−１が挿入され、放電管Ｇ２、Ｇ３の接続点と、抵抗器Ｒ２，Ｒ３の接続点との間にカウンタ１５−２が挿入される。以下、同様にして、放電管Ｇｎ−１,Ｇｎの接続点と、抵抗器Ｒｎ−１，Ｒｎの接続点との間に、カウンタ１５−ｎ−１が接続される。
【００９７】
そして、抵抗器Ｒ１，Ｒ２，Ｒ３，・・・Ｒｎの抵抗値が、「Ｒ１＞Ｒ２＞Ｒ３＞・・・・・＞Ｒｎ」となるように設定されか、または、放電管Ｇ１，Ｇ２，Ｇ３，・・・Ｇｎ−１，Ｇｎの放電開始電圧ＶＧ１，ＶＧ２，ＶＧ３，・・・，ＶＧｎ−１，ＶＧｎについて、「ＶＧ１＜ＶＧ２＜ＶＧ３＜・・・＜ＶＧｎ」となるように設定される。または、上記抵抗器についての設定と、上記放電開始電圧についての設定の両方が行われる。
【００９８】
上記構成により、放電電流Ｉａの電流レベル「Ｉ１＜Ｉ２＜Ｉ３・・・＜Ｉｎ−１＜Ｉｎ」に応じて、放電電流Ｉａの電流レベルがＩ１以下「放電電流Ｉａ＜Ｉ１」の場合は、放電管Ｇ１，Ｇ２，Ｇ３，・・・，Ｇｎ−１，Ｇｎは放電せず、抵抗器Ｒ１，Ｒ２，・・・・，Ｒｎを通して接地回路ＧＮＤに電流が流れる。この場合は、カウンタ１５−１，１５−２，・・・，１５−ｎ−１、および既設カウンタ１３に放電電流Ｉａは流れずカウント動作は行われない。
【００９９】
また、放電電流Ｉａの電流レベルが「Ｉ１＜放電電流Ｉａ＜Ｉ２」の場合には、放電管Ｇ１のみが放電を開始し、放電電流Ｉａは、放電管Ｇ１，カウンタ１５−１，抵抗器Ｒ２，Ｒ３，・・・，Ｒｎ、および端子Ｎｂを通して接地回路ＧＮＤに流れる。この場合には、カウンタ１５−１のみがカウント動作を行う。
【０１００】
また、放電電流Ｉａの電流レベルが「Ｉ２＜放電電流Ｉａ＜Ｉ３」の場合には、放電管Ｇ１，Ｇ２が放電を開始し、放電電流Ｉａは、放電管Ｇ１，Ｇ２、カウンタ１５−２，抵抗器Ｒ３，・・・，Ｒｎ、および端子Ｎｂを通して接地回路ＧＮＤに流れる。この場合には、カウンタ１５−２のみがカウント動作を行う。
【０１０１】
以下、同様にして、放電電流Ｉａの電流レベルが「Ｉｎ−１＜放電電流Ｉａ＜放電電流Ｉｎ」の場合には、放電管Ｇ１，Ｇ２，Ｇ３，・・・，Ｇｎ−１が放電を開始し、放電電流Ｉａは、放電管Ｇ１，Ｇ２，Ｇ３，・・・，Ｇｎ−１、カウンタ１５−ｎ−１、および端子Ｎｂを通して接地回路に流れる。この場合には、カウンタ１５−ｎ−１のみがカウント動作を行う。
【０１０２】
また、放電電流Ｉａの電流レベルが「Ｉｎ＜放電電流Ｉａ」の場合には、放電管Ｇ１，Ｇ２，Ｇ３，・・・.,Ｇｎ−１，Ｇｎのすべてが放電を開始し、放電電流Ｉａは、放電管Ｇ１，Ｇ２，Ｇ３，・・・.,Ｇｎ−１，Ｇｎ、端子Ｎｃ、および既設カウンタ１３を通して接地回路ＧＮＤに流れる。この場合には、既設カウンタ１３のみがカウント動作する。
【０１０３】
このように、ｎ個の抵抗器Ｒ１，Ｒ２，Ｒ３，・・・，Ｒｎと、ｎ個の放電管Ｇ１，Ｇ２，Ｇ３，・・・，Ｇｎ−１，Ｇｎと、ｎ個のカウンタ１５−１，１５−２，１５−３，・・・,１５−ｎ−１、および既設カウンタ１３とを用いることにより、放電電流Ｉａをｎ段階に分けて検出（区別）してカウントすることができる。
【０１０４】
なお、第７の実施の形態の不要動作防止装置４において、前述のｎ個（ｎ≧３）の抵抗器は抵抗器Ｒ１，Ｒ２，・・・，Ｒｎが相当し、ｎ個（ｎ≧３）の放電管は放電管Ｇ１，Ｇ２，Ｇ３，・・・，Ｇｎが相当し、前述のＮ−１個の電磁式のカウンタは、カウンタ１５−１，１５−２，・・・・，１５−ｎ−１が相当する。
【０１０５】
そして、避雷器１２と接地回路ＧＮＤとの間に挿入される、ｎ個（ｎ≧３）の抵抗器（抵抗器Ｒ１，Ｒ２，Ｒ３，・・・，Ｒｎ）からなる抵抗器の直列回路と、避雷器１２と第１の電磁式のカウンタ（既設カウンタ１３）との間に挿入される、ｎ個（ｎ≧３）の放電管（放電管Ｇ１，Ｇ２，Ｇ３，・・・，Ｇｎ）からなる放電管の直列回路と、抵抗器（抵抗器Ｒ１，Ｒ２，Ｒ３，・・・，Ｒｎ）の直列回路のＮ−１（Ｎ＝２，３，・・・，ｎ）番目の抵抗器とＮ番目の抵抗の接続点と、放電管（放電管Ｇ１，Ｇ２，Ｇ３，・・・，Ｇｎ−１，Ｇｎ）の直列回路のＮ−１（Ｎ＝２，３，・・・，ｎ）番目の放電管とＮ番目の放電管の接続点と、の間にそれぞれに接続され、Ｎ−１番目の放電管を通して Ｎ番目の抵抗器に流れる放電電流の回数を、それぞれ計数するＮ−１個の電磁式のカウンタ（カウンタ１５−１，１５−２，・・・・，１５−ｎ−１）と、を有して構成される。また、ｎ個の抵抗器の抵抗値Ｒ１，Ｒ２，・・・，Ｒｎの値を、Ｒ１＞Ｒ２＞Ｒ３，・・・，＞Ｒｎにする設定と、ｎ個の放電管の放電開始電圧ＶＧ１，ＶＧ２，・・・，ＶＧｎを、ＶＧ１＜ＶＧ２＜・・・＜ＶＧｎにする設定の、いずれかの設定または両方の設定を行うように構成される。
【０１０６】
これにより、第７の実施の形態器の不要動作防止装置４においては、避雷器の放電電流の不要なカウント動作を抑止することができると共に、電子回路や外部電源を使用することなく簡易かつ信頼性の高い方法により、避雷器の放電電流の電流レベルをｎ段階に区別してカウントすることができる。
【０１０７】
［第８の実施の形態］
図１１は、本発明の第５の実施の形態に係る避雷器動作カウンタの構成を示す図である。
【０１０８】
図１１に示す避雷器動作カウンタ４Ａは、図１０に示す不要動作防止装置４と既設カウンタ１３とを一体化し、図１１に示す避雷器動作カウンタ４Ａとして構成したものである。
【０１０９】
図１１に示す避雷器動作カウンタ４Ａでは、放電管Ｇｎと端子Ｎｃとの間に電磁式のカウンタ１４を設け、放電管Ｇｎを通して流れる電流によりカウンタ１４にカウンタ動作を行わせる。その他の構成と動作については、図１０に示す第７の実施の形態の不要動作防止装置４の構成と同様であり、同一の構成部分には同一の符号を付し、重複する説明は省略する。
【０１１０】
この避雷器動作カウンタ４Ａにおいては、ｎ個の抵抗器Ｒ１，Ｒ２，Ｒ３，・・・，Ｒｎと、ｎ個の放電管Ｇ１，Ｇ２，Ｇ３，・・・，Ｇｎ−１，Ｇｎと、ｎ個のカウンタ１５−１，１５−２，１５−３，・・・,１５−ｎ−１、およびカウンタ１４を用いることにより、放電電流Ｉａをｎ段階に分けてカウントすることができる。
【０１１１】
以上、本発明の実施の形態について説明したが、本発明の避雷器動作カウンタの不要動作防止装置においては、既設カウンタに付設することにより、既設カウンタにおける不要なカウント動作を抑止することができると共に、電子回路や外部電源を使用することなく簡易かつ信頼性の高い方法により、避雷器の放電電流の電流レベルを検出（区別）してカウント動作を行うことができる。
【０１１２】
また、本発明の避雷器動作カウンタにおいては、雷による避雷器放電電流以外の放電電流による不要なカウント動作を抑止することができると共に、電子回路や外部電源を使用することなく簡易かつ信頼性の高い方法により、避雷器の放電電流の電流レベルを検出（区別）してカウント動作を行うことができる。
【０１１３】
以上、本発明の実施の形態について説明したが、本発明の避雷器動作カウンタの不要動作防止装置、および避雷器動作カウンタは、上述の図示例にのみ限定されるものではなく、本発明の要旨を逸脱しない範囲内において種々変更を加え得ることは勿論である。
【符号の説明】
【０１１４】
１，２，３，４・・・避雷器動作カウンタの不要動作防止装置、１Ａ，２Ａ，３Ａ，４Ａ・・・避雷器動作カウンタ、１１・・・電線路、１２・・・避雷器、１３・・・既設カウンタ、１４，１５，１５−１，１５−２，１５−ｎ−１，１５−ｎ，１６・・・電磁式のカウンタ、Ｉａ・・・放電電流、Ｇ，Ｇ１，Ｇ２，Ｇ３，Ｇｎ−１，Ｇｎ・・・放電管、Ｒ１，Ｒ２，Ｒ３，Ｒｎ−１，Ｒｎ・・・抵抗器、ＶＧ１，ＶＧ２，ＶＧ３，ＶＧｎ−１，ＶＧｎ・・・放電開始電圧、ＶＲ，ＶＲ１，ＶＲ２，ＶＲｎ−１，ＶＲｎ・・・抵抗器の両端の電圧
【図１】
2010165595.tif 000003
【図２】
2010165595.tif 000004
【図３】
2010165595.tif 000005
【図４】
2010165595.tif 000006
【図５】
2010165595.tif 000007
【図６】
2010165595.tif 000008
【図７】
2010165595.tif 000009
【図８】
2010165595.tif 000010
【図９】
2010165595.tif 000011
【図１０】
2010165595.tif 000012
【図１１】
2010165595.tif 000013
【図１２】
2010165595.tif 000014